(57)【特許請求の範囲】
【請求項１】
軟質プラスチックフィルムが積層された熱伝導性の良好な金属箔を、軟質プラスチック織物に積層した複合シートに、被覆電熱線を前記複合シートにおける前記金属箔の側にミシンで縫い付けることを特徴とするシート状ヒータの製造法。
【請求項２】
複合シートが、表裏面に軟質プラスチックフィルムを積層した熱伝導性の良好な金属箔を軟質プラスチック織物に積層したものである請求項１記載のシート状ヒータの製造法。
【請求項３】
軟質プラスチック織物が、軟質プラスチックリボンヤーンによる織物である請求項１または２記載のシート状ヒータの製造法。
【請求項４】
請求項１から３の何れかに記載のシート状ヒータの製造法において、左右に変位可能な線状物送込み器を有する自動ミシンで被覆電熱線を複合シートに縫い付け、その縫付けに当たり、線状物送込み器を左右に変位させ、その左右変位と反対方向へ複合シートを変位させることを特徴とするシート状ヒータの製造法。
【請求項５】
軟質プラスチックフィルムが積層された熱伝導性の良好な金属箔を、軟質プラスチック織物に積層した複合シートに、被覆電熱線を前記複合シートにおける前記金属箔の側にミシンで縫い付けたことを特徴とするシート状ヒータ。
【請求項６】
複合シートが、表裏面に軟質プラスチックフィルムを積層した熱伝導性の良好な金属箔を軟質プラスチック織物に積層したものである請求項５記載のシート状ヒータ。
【請求項７】
軟質プラスチック織物が、軟質プラスチックリボンヤーンによる織物である請求項５または６記載のシート状ヒータ。
【発明の詳細な説明】
【０００１】
【発明の属する技術分野】
本発明は、被覆電熱線によるヒートエレメント及び熱伝導率の良好な金属箔を包含するシート状ヒータ及びその製造法に関する。シート状ヒータが熱伝導性の良好な金属箔を包含していると放熱性が良好である。
【０００２】
【従来の技術】
従来、このようなタイプのシート状ヒータの製造法としては、（１）ジグを適用して被覆電熱線を所要の配線パターンの態勢とし、このジグ上の前記配線パターンの態勢下の被覆電熱線に金属箔を覆い被せて、加圧加熱し、金属箔に予め積層されている熱溶融性フイルム又は塗布されている接着剤で、前記配線パターン態勢にある被覆電熱線と金属箔とを接合する仕様、及び（２）仕様（１）において、ジグの適用下に被覆電熱線を所要の配線パターンの態勢とするに先立ち、金属箔をジグ上にセットしておく点を除き、他は仕様（１）と同じものに相当する仕様が知られている。被覆電熱線を所要配線パターンの態勢にするためのジグは、基板に被覆電熱線の配線パターンに対応する配置にガイドピンを植設した構成のものである。
【０００３】
これら（１）（２）の従来技術による製造法では、ガイドピンに従って所要の配線パターンとなるよう、ジグの基板上に被覆電熱線を手操作により配線する必要があって、これを行うのに熟練を必要とするし、配線間違いをすることがある。また生産性に劣る問題もある。熟練の必要性及び配線間違いの問題を解消するべく、被覆電熱線の配線をロボットによる自動化に改変しとしても、ジグ上で被覆電熱線と金属箔とを接合する工程、並びに被覆電熱線と接合した金属箔をジグから外す工程を必要とするので、生産性はそれほど改善されない。
【０００４】
【発明が解決しようとする課題】
本発明は、制御回路によってステッチが種々のパターンとなるよう制御される様式の自動ミシンを適用して、所要パターン及び必要装着強度で、冒頭に述べたタイプのシート状ヒータにおける被覆電熱線の配線を達成することを可能にしようというものである。斯かる自動ミシンによる縫い付けで、被覆電熱線の所要パターン及び必要装着強度での配線が達成できれば、この種のシート状ヒータの生産性が飛躍的に向上することは自明である。
【０００５】
【課題を解決するための手段】
上記課題解決のため本発明では、軟質プラスチック織物に熱伝導性の良好な金属箔及び軟質プラスチックフィルムを積層した複合シートに、被覆電熱線をミシンで縫い付ける。
【０００６】
ここで、ミシンとは、右に一針、左に一針とジグザグ状に縫い目が連続するジグザグ縫いミシンとか自動ミシン、針が定位置で作動され、これに対し生地が所要方向に移動される形式の刺繍機などのように、ステッチが直線的でなく左右に振れるようになっている縫い付け機械を指す。このことは、特許請求の範囲の項及び以下の記載についても同じである。
【０００７】
上記のように本発明では、金属箔を包含する配線対象体に、軟質プラスチック織物及び軟質プラスチックフィルムを構成要素として具有する複合シートを充てている。斯かる特定な複合シートの適用が、ミシンによる縫い付けで、配線対象体に対する被覆電熱線の配線を可能にしている。
【０００８】
即ち、本発明に係る複合シートでは、被覆電熱線の縫い付け後、金属箔の針穴が裂けて広がることが実質上なく、またミシン針の針穴が最小限に抑えられることが認められた。
【０００９】
この成果が得られるのは、複合シートにおけるプラスチック織物及びプラスチックフィルムが軟質であることが起因しているようである。因みに、配線対象体が、軟質プラスチックフィルムまたはシートと金属箔の積層体による複合シートの場合では、ミシンによる縫付けで配線対象体に被覆電熱線を配線すると、プラスチックフィルムまたはシートが軟質であるものの、針穴はミシン針の太さの約１．４倍の大きさであった。このような大きさの針穴では、ミシン縫いでの前後の隣接ステッチの間隔が比較的狭いことから、被覆電熱線の逢着後、複合シートの通常の取り扱いで、前後に隣接する針穴が裂け広がって連なることが多く発生し、被覆電熱線の必要装着強度が喪失されてしまう。即ち、金属箔を包含する複合シートを配線対象体とし、これにミシン縫いで被覆電熱線を配線する実効性が得られない。
【００１０】
ミシンによる縫付けで配線対象体に被覆電熱線の配線が可能であると、制御回路によってステッチが種々のパターンとなるよう制御される様式の自動ミシンを適用して、被覆電熱線の所要パターン及び必要装着強度での配線が達成でき、冒頭に述べたタイプのシート状ヒータの生産性を従来より飛躍的に向上し得る。
【００１１】
配線対象体の針穴の裂け広がり回避は、複合シートが、表裏面に軟質プラスチックフィルムを積層した金属箔を軟質プラスチック織物に積層したものである場合、金属箔が表裏から軟質プラスチックフィルムで補強されるため良化される。尚、軟質プラスチック織物が、軟質プラスチックのリボンヤーンによる織物であると、針穴の裂け広がり回避が更に良好であることが認められた。
【００１２】
必要ならば本発明では、太さ３ｍｍ以上のヒータ線（被覆電熱線  定格１００〜２００Ｖ用）でも、ミシン縫付けによる配線が可能である。これを達成するには、飾り糸等の線状物を送り込むための左右に変位可能な線状物送込み器を備え、送込み器により線状物縫付け対象体（布等）に送り込まれる線状物を、線状物縫付け対象体に任意パターンに縫い付けるようになっている、それ自体公知の自動ミシンを充当して、複合シートに被覆電熱線を縫い付け、その縫付けに当たり、線状物送込み器を左右に変位させ、その左右変位と反対方向へ複合シートを変位させることが有効である。この場合、複合シートの変位は、自動ミシンに装備されている線状物縫付け対象体を左右に変位させる送り器を利用すれば良い。
【００１３】
【発明の実施の形態】
本発明の実施形態につき、図面を参照して説明する。図１に本発明に係るシート状ヒータの一例が模式的に示されている。図１に示されたシート状ヒータＩは、被覆電熱線の配線対象体としての複合シート１、及び複合シート１にミシンによる縫付けで所要パターンに配線された被覆電熱線２を具有する。複合シート１は、軟質プラスチック織物３例えばポリエチレン織物、熱伝導性の良好な金属箔４例えばアルミニューム箔及び軟質プラスチックフィルム５例えばポリエチレンフィルムを構成要素として包含する。複合シート１における軟質プラスチック織物３には、熱伝導性の良好な金属箔４及び軟質プラスチックフィルム５が積層されている。被覆電熱線２は、複合シート１における金属箔４の側に縫い付けられる。軟質プラスチックフィルム５は、図２に示すように金属箔４の表裏両面に積層してもよいし、片面に積層してもよい。金属箔４に対し軟質プラスチックフィルム５を片面積層とする場合、軟質プラスチックフィルム５が複合シート１の外面側となるようにされる。また、軟質プラスチックフィルム５を片面積層とする場合、軟質プラスチック織物３の表面に金属箔４を蒸着法等により形成し、その金属箔４上面に軟質プラスチックフィルム５を積層して、複合シート１を作るとよい。
【００１４】
上記軟質プラスチック織物３には、限定的ではないが一般的には厚み１００μｍ程度、幅約５ｍｍの軟質プラスチックのリボンヤーンを１インチ当たり経１０本、緯１０本で平織とした織物を充当するとよく、上記金属箔４には、限定的ではないが一般的には４〜４０μｍ程度の厚みのものを充てるとよく、上記軟質プラスチックフィルム５には、限定的ではないが一般的には３０μｍ程度の厚みのものを充てるとよい。
【００１５】
【発明の効果】
上記のように本発明によると、冒頭に述べたタイプのシート状ヒータにおいて、制御回路によってステッチが種々のパターンとなるよう制御される様式の自動ミシンの適用の下、所要パターン及び必要装着強度で、被覆電熱線の配線を可能にすることの課題達成が得られる。
【図面の簡単な説明】
【図１】本発明に係るシート状ヒータの一例を模式的示す示す斜視図である。
【図２】本発明で適用する被覆電熱線の配線対象体である複合シートの一例の拡大断面図を示す。
【符号の説明】
Ｉ    シート状ヒータ
１    複合シート
２    被覆電熱線
３    軟質プラスチック織物
４    金属箔
５    軟質プラスチックフィルム
【図１】
0004088730.tif 000002
【図２】
0004088730.tif 000003